【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
基材と、該基材上に色材層を有する感熱転写記録用シートであって、
該色材層が、イエロー染料を含有するイエロー染料層、マゼンタ染料を含有するマゼンタ染料層、及びシアン染料を含有するシアン染料層を有し、
該イエロー染料層、該マゼンタ染料層及び該シアン染料層は、該基材上に面順次に形成されたものであり、
該シアン染料が、下記式（１）で表される化合物を含むことを特徴とする感熱転写記録用シート。
【化１】
2018099880.tif 000001
（式（１）中、Ｒ１及びＲ２は、各々独立して、アルキル基、置換若しくは無置換のアリール基、又は、ベンジル基を表し、
Ｒ３及びＲ４は、各々独立して、水素原子、アルキル基、置換若しくは無置換のアリール基、又は、ベンジル基を表し、
Ｒ５及びＲ６は、各々独立して、水素原子又はアルキル基を表し、
Ｒ７は、置換若しくは無置換のアリール基、又は、置換若しくは無置換の複素芳香族基を表し、
Ｘ−は、陰イオンを表し、分子内に少なくとも１つのアニオン性置換基を持つ場合はＸ−は存在しなくてもよい。）
【請求項２】
前記シアン染料が、さらに、下記式（２）〜（４）で表される化合物群から選ばれる少なくとも１種の化合物を含む請求項１に記載の感熱転写記録用シート。
【化２】
2018099880.tif 000002
（式（２）中、Ｒ８及びＲ９は、各々独立して、アルキル基、又は、置換若しくは無置換のアリール基を表す。）
【化３】
2018099880.tif 000003
（式（３）中、Ｒ１０〜Ｒ１４は、それぞれ独立して、アルキル基、又は、置換若しくは無置換のアリール基を表す。）
【化４】
2018099880.tif 000004
（式（４）中、Ｒ１５〜Ｒ１９は、それぞれ独立して、アルキル基、置換若しくは無置換のアリール基を表す。）
【請求項３】
前記シアン染料が、さらに、下記式（４）で表される化合物を含む請求項１に記載の感熱転写記録用シート。
【化５】
2018099880.tif 000005
（式（４）中、Ｒ１５〜Ｒ１９は、それぞれ独立して、アルキル基、置換若しくは無置換のアリール基を表す。）
【請求項４】
前記式（１）中、Ｒ７が、置換基を有するフェニル基、置換基を有するナフチル基、又は置換基を有するインドリル基である請求項１〜３のいずれか１項に記載の感熱転写記録用シート。
【請求項５】
前記式（１）中、Ｒ７が、下記式（５）〜（７）のいずれかで示される基である請求項１〜３のいずれか１項に記載の感熱転写記録用シート。
【化６】
2018099880.tif 000006
（式（５）中、Ｒ２０は、スルホニル基、ハロゲン原子、パーフルオロアルキル基、又はニトロ基を表し、Ｒ２１は、水素原子、スルホニル基を表す。
式（６）中、Ｒ２２及びＲ２３は、各々独立して、水素原子、アルキル基、置換若しくは無置換のアリール基、又はベンジル基を表し、Ａには、ベンゼン環、又はシクロヘキシル環を有してもよい。
式（７）中、Ｒ２４及びＲ２５は、各々独立して、アルキル基、又は、置換若しくは無置換のアリール基を表し、Ｒ２６は、水素原子、アルキル基、又は、置換若しくは無置換のアリール基を表す。）
【請求項６】
前記式（１）中、Ｒ７が、下記式（５）〜（７）のいずれかで示される基である請求項５に記載の感熱転写記録用シート。
【化７】
2018099880.tif 000007
（式（５）中、Ｒ２０は、スルホニル基、ハロゲン原子、又はパーフルオロアルキル基を表し、Ｒ２１は、水素原子、スルホニル基を表す。
式（６）中、Ｒ２２及びＲ２３は、各々独立して、水素原子、アルキル基、置換若しくは無置換のアリール基、又はベンジル基を表し、Ａには、ベンゼン環、又はシクロヘキシル環を有してもよい。
式（７）中、Ｒ２４及びＲ２５は、各々独立して、アルキル基、又は、置換若しくは無置換のアリール基を表し、Ｒ２６は、水素原子、アルキル基、又は、置換若しくは無置換のアリール基を表す。）
【請求項７】
前記式（１）中、Ｒ７が、下記式（８）に示す基である請求項１〜３のいずれか１項に記載の感熱転写記録用シート。
【化８】
2018099880.tif 000008
（式（８）中、Ｒ２７及びＲ２８は、各々独立して、水素原子、アルキル基、置換若しくは無置換のアリール基、又は、ベンジル基を表す。）
【請求項８】
前記イエロー染料が、下記式（９）〜（１２）で表される化合物群から選択される少なくとも１種以上の化合物を含む請求項１〜７のいずれか１項に記載の感熱転写記録用シート。
【化９】
2018099880.tif 000009
（式（９）中、Ｒ２９〜Ｒ３２は、それぞれ独立して、アルキル基、又は、置換若しくは無置換のアリール基を表す。）
【化１０】
2018099880.tif 000010
（式（１０）中、Ｒ３３及びＲ３４は、それぞれ独立して、アルキル基、又は置換若しくは無置換のアリール基を表す。）
【化１１】
2018099880.tif 000011
（式（１１）中、Ｒ３５及びＲ３６は、それぞれ独立して、アルキル基、又は、置換若しくは無置換のアリール基を表す。）
【化１２】
2018099880.tif 000012
（式（１２）中、
Ｒ３７は、アルキル基を表し、Ｒ３８は、水素原子又はアルキル基を表し、Ｒ３９は、アルキル基、置換若しくは無置換のアリール基、又はアミノ基を表し、Ｒ４０は、水素原子、シアノ基、カルバモイル基、アルコキシカルボニル基又はカルボン酸アミド基を表し、
Ｒ４１は、水素原子、アルキル基、置換若しくは無置換のアリール基、又は、−Ｎ（−Ｒ４２）Ｒ４３を表し、
Ｒ４２及びＲ４３は、それぞれ独立して、水素原子、アルキル基又はアシル基を表し、Ｒ４２とＲ４３とが互いに結合して環を形成してもよく、
Ｘは、カルボニル基又はスルホニル基を表し、ｎは、１〜３の整数を表す。）
【請求項９】
前記イエロー染料が、下記式（１２）で表される化合物を含む請求項１〜７のいずれか１項に記載の感熱転写記録用シート。
【化１３】
2018099880.tif 000013
（式（１２）中、
Ｒ３７は、アルキル基を表し、Ｒ３８は、水素原子又はアルキル基を表し、Ｒ３９は、アルキル基、置換若しくは無置換のアリール基、又はアミノ基を表し、Ｒ４０は、水素原子、シアノ基、カルバモイル基、アルコキシカルボニル基又はカルボン酸アミド基を表し、
Ｒ４１は、水素原子、アルキル基、置換若しくは無置換のアリール基、又は、−Ｎ（−Ｒ４２）Ｒ４３を表し、
Ｒ４２及びＲ４３は、それぞれ独立して、水素原子、アルキル基又はアシル基を表し、Ｒ４２とＲ４３とが互いに結合して環を形成してもよく、
Ｘは、カルボニル基又はスルホニル基を表し、ｎは、１〜３の整数を表す。）
【請求項１０】
前記マゼンタ染料が、下記式（１３）〜（１７）で表される化合物群から選択される少なくとも１種の化合物を含む請求項１〜９のいずれか１項に記載の感熱転写記録用シート。
【化１４】
2018099880.tif 000014
（式（１３）中、Ｒ４４は、アルキル基、置換若しくは無置換のアリール基、又は、−（Ｒ４５−Ｏ）ｎ−Ｒ４６を表し、Ｒ４５はアルキレン基を表し、Ｒ４６はアルキル基を表す。ｎは、１又は２である。）
【化１５】
2018099880.tif 000015
（式（１４）中、Ｒ４７及びＲ４８は、それぞれ独立して、アルキル基、又は、置換若しくは無置換のアリール基を表す。）
【化１６】
2018099880.tif 000016
（式（１５）中、Ｒ４９〜Ｒ５３は、それぞれ独立して、アルキル基、又は、置換若しくは無置換のアリール基を表す。）
【化１７】
2018099880.tif 000017
（式（１６）中、Ｒ５４〜Ｒ５７は、それぞれ独立して、アルキル基、置換若しくは無置換のアリール基を表す。）
【化１８】
2018099880.tif 000018
（式（１７）中、Ｒ５８及びＲ５９は、それぞれ独立して、アルキル基を表し、Ｒ６０は、水素原子、アルキル基、又は置換若しくは無置換のアリール基を表し、Ｒ６１は、アルキル基、又は、置換若しくは無置換のアリール基を表し、Ｒ６２は、水素原子、アルキル基、置換若しくは無置換のアリール基、又は、−Ｎ（−Ｒ６３）Ｒ６４を表す。Ｒ６３及びＲ６４は、それぞれ独立して、水素原子、アルキル基、アリール基又はアシル基を表し、Ｒ６３とＲ６４とが互いに結合して環を形成してもよい。）
【請求項１１】
前記マゼンタ染料が、下記式（１６）〜（１７）で表される化合物群から選択される少なくとも１種の化合物を含む請求項１〜９のいずれか１項に記載の感熱転写記録用シート。
【化１９】
2018099880.tif 000019
（式（１６）中、Ｒ５４〜Ｒ５７は、それぞれ独立して、アルキル基、置換若しくは無置換のアリール基を表す。）
【化２０】
2018099880.tif 000020
（式（１７）中、Ｒ５８及びＲ５９は、それぞれ独立して、アルキル基を表し、Ｒ６０は、水素原子、アルキル基、又は置換若しくは無置換のアリール基を表し、Ｒ６１は、アルキル基、又は、置換若しくは無置換のアリール基を表し、Ｒ６２は、水素原子、アルキル基、置換若しくは無置換のアリール基、又は、−Ｎ（−Ｒ６３）Ｒ６４を表す。Ｒ６３及びＲ６４は、それぞれ独立して、水素原子、アルキル基、アリール基又はアシル基を表し、Ｒ６３とＲ６４とが互いに結合して環を形成してもよい。）
【手続補正２】
【補正対象書類名】明細書
【補正対象項目名】０００８
【補正方法】変更
【補正の内容】
【０００８】
本発明は、基材と、該基材上に色材層を有する感熱転写記録用シートであって、
該色材層が、イエロー染料を含有するイエロー染料層、マゼンタ染料を含有するマゼンタ染料層、及びシアン染料を含有するシアン染料層を有し、
該イエロー染料層、該マゼンタ染料層及び該シアン染料層は、該基材上に面順次に形成されたものであり、
該シアン染料が、下記式（１）で表される化合物を含むことを特徴とする感熱転写記録用シートに関する。
【手続補正３】
【補正対象書類名】明細書
【補正対象項目名】００１３
【補正方法】変更
【補正の内容】
【００１３】
本発明者らは、上記の課題を解決すべく鋭意検討を行った結果、
基材と、該基材上に色材層を有する感熱転写記録用シートであって、
該色材層が、イエロー染料を含有するイエロー染料層、マゼンタ染料を含有するマゼンタ染料層、及びシアン染料を含有するシアン染料層を有し、
該イエロー染料層、該マゼンタ染料層及び該シアン染料層は、該基材上に面順次に形成されたものであり、
該シアン染料が、下記式（１）で表される化合物を含むことで、青色方向の色域拡大と光学濃度が高いプロセスブラックとを両立した画像が得られることを見出した。